Podtech/llm-jp-corpus-v4-ja_patent huggingface dataset:
(57)【要約】      （修正有）【課題】家庭や職場で足のフクラハギと太モモを簡易にマッサージできる足揉補助具を提供する。【解決手段】レール枠６を床に置き腰掛座板８をレール枠上の手前側にセットする。手スリ棒２、ガイド板３，４、スベリ桟木５、シキイスベリ１０、戸車１３、回転丸棒１１、ジョイント板９から成る可動台をレール枠上にセットして座板に腰掛け、可動台の丸棒に足を乗せ可動台を手で前後に動かし足揉みをする。【選択図】図１
0003149188.tif 000002
【実用新案登録請求の範囲】
【請求項１】
丸棒を通す穴を開け上部に手スリを設けた内側ガイド板と外側ガイド板の間にレール巾強の桟木を設けスベリ材に戸車とシキイスベリを使用したガイド板を左右に設け回転丸棒とジョイント板をセットして組立て床に置いたレール枠上に乗せる足揉み補助具。
【考案の詳細な説明】
【技術分野】
【０００１】本考案は仕事で疲れた太モモ、フクラハギを揉みほぐす
血流を良くして足の疲れをとるのを目的としたものである
【背景技術】
【０００２】従来より足のマッサージは電動器具の使用か整体院へ行きマッサージをしてもらうかしている。
【考案の開示】
【考案が解決しようとする課題】
【０００３】家庭で職場でいつでも疲れた足の太モモ、フクラハギをマッサージできて疲れをとることができないかと考えだされたものである
【課題を解決するための手段】
【０００４】３ケの穴開き手スリ棒付ガイド板を左右に置き回転丸棒をセットしてジョイント板でガイド板を固定する組立てたガイド板をレール枠上に乗せて前後にスムーズに移動するか確詔して座板をレール枠上、手前側にセットする
【考案の効果】
【０００５】家庭で、職場で自分の手で補助具を可動させて足のフクラハギ、太モモをマッサージできて疲れをほぐすことができる
【考案を実施するための形態】
【０００６】以下考案の実施の形態を説明する
（イ）手スリ棒（２）内側ガイド板（３）外側ガイド板（４）回転丸棒穴（１４）スベリ桟木（５）戸車（１３）シキイスベリ（１０）ジョイント桟木（１２）回転丸棒（１１）ジョイント板（９）から成る
（ロ）レール枠（６）レール巾止（７）シキイスベリ（１０）座板（８）から成る
考案は以上の構成より成る。
考案を使用する場合は
レール枠（６）を床に置き座板（８）をレール枠（６）上の手前側にセットする
手スリ棒（２）内側ガイド板（３）外側ガイド板（４）スベリ桟木（５）シキイスベリ（１０）から成るガイド板に回転丸棒（１１）３本をセット  ジョイント板（９）をセットして組上げレール枠（６）上にセットする
使用する手順座板（８）に腰掛け太モモ、フクラハギを回転丸棒（１１）の上に乗せ手スリ棒（２）をにぎり前後に動かし太モモ、フクラハギを回転丸棒でマッサージする。
【図面の簡単な説明】
【０００７】
【図１】本考案の斜視図
【図２】本考案の前面図
【図３】本考案の左右外側図
【図４】本考案の左右内側図
【図５】本考案の前面図
【図６】本考案の真上図
【図７】本考案の前面図
【図８】本考案の断面図
【符号の説明】
【０００８】（２）手スリ棒（３）内側ガイド板（４）外側ガイド板（５）スベリ桟木（６）レール枠（７）レール巾止（８）座板（９）ジョイント板（１０）シキイスベリ（１１）回転丸棒（１２）ジョイント桟木（１３）戸車（１４）回転丸棒穴
【図１】
0003149188.tif 000003
【図２】
0003149188.tif 000004
【図３】
0003149188.tif 000005
【図４】
0003149188.tif 000006
【図５】
0003149188.tif 000007
【図６】
0003149188.tif 000008
【図７】
0003149188.tif 000009
【図８】
0003149188.tif 000010
【手続補正書】
【提出日】平成20年10月7日(2008.10.7)
【手続補正１】
【補正対象書類名】実用新案登録請求の範囲
【補正対象項目名】全文
【補正方法】変更
【補正の内容】
【実用新案登録請求の範囲】
【請求項１】
左・右のガイド板の上部に手スリ棒を設け下部にも戸車付スベリ桟木を設ける、又ガイド板の中間に回転丸棒を設置する穴を開け、左・右のガイド板をジョイント板で固定した足揉み補助具。又回転丸棒は取り外しができる
【請求項２】
レール巾止めで固定したレール枠の上に座板と足揉み補助具を乗せて使用する請求項１の足揉み補助具
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
左・右のガイド板の上部に手スリ棒を設け下部に戸車付スベリ桟木を設け、ガイド板の中間に回転丸棒を設置する穴を開け、左・右のガイド板をジョイント板で固定しており、回転丸棒は取り外しができるようにしたことを特徴とする、足揉み補助具。
(57)【要約】      （修正有）【課題】植栽した苗木等の根元付近の防草効果を高める防草シートを提供する。【解決手段】四角形の防草シートの中心部を接点に、４本の直線のみによる切り込みを設けて放射状に８分割し、その切り込みの中で、四角形の一辺の中心に位置する直線の一方を防草シートの周辺まで切り通しにしたことを特徴とする防草シートである。【選択図】図２
0003149186.tif 000002
【実用新案登録請求の範囲】
【考案の詳細な説明】
【考案の開示】
【考案が解決しようとする課題】
【０００１】苗木等の根元付近の防草をするには、防草シートで苗木等を挟む方法で防草していたが、多くの隙間が出来るため、防草が不充分という課題があった。
【課題を解決するための手段】
【０００２】防草シートに切込みを入れ苗木等を包囲出来るようにした。
【考案の効果】
【０００３】苗木等を切込みを入れた防草シートで包囲して密着させ隙間を少なくして防草するため、防草効果が高まる。
【図面の簡単な説明】
【図１】従来の防草シートおよび使用状況
【図２】切込みを入れた防草シートおよび使用状況
【符号の説明】
１  防草シート
２  苗木
３  切り込み
【図１】
0003149186.tif 000003
【図２】
0003149186.tif 000004
【手続補正書】
【提出日】平成20年8月19日(2008.8.19)
【手続補正１】
【補正対象書類名】実用新案登録請求の範囲
【補正対象項目名】全文
【補正方法】変更
【補正の内容】
【実用新案登録請求の範囲】
【請求項１】
植栽した作物の特に根元付近の防草を図るため、当該作物の大きさに見合う広さの四角形の防草シートの中心部を接点に、４本の直線による切り込みを設けて８分割し、その切り込みの中で、四角形の一辺の中心に位置する直線の一方を防草シートの周辺まで切り通しにした防草シート。当該作物の幹の大きさ、また、切り込みの長短に少々の違いがあっても、直線のみによる切り込みを設けた８分割であるため、当該作物への密着度が強く防草効果が高いのを特徴とする。
【手続補正書】
【提出日】平成20年12月11日(2008.12.11)
【手続補正１】
【補正対象書類名】実用新案登録請求の範囲
【補正対象項目名】全文
【補正方法】変更
【補正の内容】
【実用新案登録請求の範囲】
【請求項１】
四角形の防草シートの中心部を接点に、４本の直線のみによる切り込みを設けて放射状に８分割し、その切り込みの中で、四角形の一辺の中心に位置する直線の一方を防草シートの周辺まで切り通しにした防草シート。
(57)【要約】      （修正有）【課題】テニスのアマチュアの試合では審判が付かないセルフジャッジ方式で行うことが多く、ゲーム中のポイントを頭で数えている。そのためラリーが長くなるとポイントを間違えることがある。またゴルフでも打数を数える事に気を取られることがあり、素早く、手軽に使えるカウンターを装着し、プレーに集中できるリストバンドを提供する。【解決手段】リストバンドには小さいポケット（０，１５，３０，４０または１から８の数字の模様付き）を付けその中に軽量なクリップをつけカウントするリストバンドである。カウントの錯誤・忘れなどによるトラブルを防止するとともに、クリップがポケットに入っていることから飛んで行くことも防止している。またカウントの字も大きく見やすくなっている。【選択図】図１
0003149187.tif 000002
【実用新案登録請求の範囲】
【請求項１】
布製のリストバンドに小さいポケットをつくり、クリップを移動させることにより、テニス・ゴルフ競技時にポイント・打数を素早く・手軽にカウントできるようにしたリストバンド。
【考案の詳細な説明】
【技術分野】
【０００１】
本考案は、テニスのポイント・ゴルフの打数カウンター機能を設けたリストバンドに関するものです
【背景技術】
【０００２】
テニス・ゴルフともにカウントを間違うことが少なくないにもかかわらず、記憶でカウントをしてきた。カウンターは特許文献１，２が開示されているものがあるが普及していない。
【特許文献１】特開２００４―３２９２５８
【特許文献２】実願２００４−７３１
【特許文献３】特開平９―５０６７８７
【特許文献３】実願平１１−５５２７
【考案の開示】
【考案が解決しようとする課題】
【０００３】
開示されてきたカウンターは操作に時間がかかる、数字が小さくて見えにくい、プレー中の飛んでいってしまうなどの問題がありましたが、リストバンドにカウンター機能を取り付けることにより、これらの問題を解決しようとするものである
【課題を解決するための手段】
【０００４】
前記リストバンドには小さいポケット（0,15,30,40または1から8の数字の模様付き）を付けその中に軽量なクリップを移動させカウントするリストバンドである。
【考案の効果】
【０００５】
カウントの錯誤・忘れなどによるトラブルを防止するとともに、クリップがポケットに入っていることから飛んで行くことも防止している。またカウントの字も大きく見やすくなっている。
【考案を実施するための最良の形態】
【０００６】
リストバンドにポケットを前図のように縫い合わせ
飛散防止・可動し易くする。また、上と下の色を変え、自分のポイントと相手のポイントを区別する。
【実施例】
【０００７】
以下添付図面に従って説明する。競技時に利き手の反対の手に装着し、クリップをずらすことによりカウントする。
【図面の簡単な説明】
【０００８】
【図１】本考案の正面図である
【図２】本考案の実施例である
【符号の説明】
【０００９】
1            
リストバンド
2            
ポケット
3            
クリップ
【図１】
0003149187.tif 000003
【図２】
0003149187.tif 000004
【手続補正書】
【提出日】平成21年1月14日(2009.1.14)
【手続補正１】
【補正対象書類名】図面
【補正対象項目名】全図
【補正方法】変更
【補正の内容】
【図１】
0003149187.tif 000005
【図２】
0003149187.tif 000006
(57)【要約】      （修正有）【課題】買い物袋に自動的に開口もしくは立体的に自立できる機能を有するようにし、簡単に収納、展開ができる買い物袋を提供する。【解決手段】細い板バネを骨組みとして、立体的に展開した状態の買い物袋の縁に縫いこむことにより、バネの復元力を利用し、捻ることで簡単にたため、捻りから解放するとバネの弾力で自動的に展開し、元の立体的な状態の買い物袋に復元する。買い物袋本体１の内側に２個のリング状バネ板２を交差させた状態で縫い代４に縫いつけてある。また、下部のリング状バネ板２は生地を保護するための柔軟な保護用ゴム管３で覆われている。骨組みを潰しながら捻ると、円盤状にたたまれる。【選択図】図１
0003149185.tif 000002
【実用新案登録請求の範囲】
【請求項１】
細いバネを骨組みとして買い物袋の内側に縫い込むことにより、骨組みを捻って折りたむことができ、専用収納袋に収納され、収納袋から取り出されると、捻りから解放され、バネの復元力で買い物袋が自動的に展開して立体的に自立できるようにした買い物袋と、展開だけして自立しない形式のもの。
【考案の詳細な説明】
【技術分野】
【０００１】  捻ることで簡単にたたむことができ、捻りから解放すると、自動的に開口部を開き、もしくは立体的に自立する機能を備えた買い物袋に関する。
【背景技術】
【０００２】  従来の布製の買い物袋は自動的に開口したり立体的に自立できる機能を有するものはなかった。
【考案の開示】
【考案が解決しようとする課題】
【０００３】  本考案の課題は、買い物袋に自動的に開口もしくは立体的に自立できる機能を有するようにし、簡単に収納、展開ができる買い物袋を提供することにある。
【課題を解決するための手段】
【０００４】  本考案は細いバネを骨組みとして買い物袋の縁に縫いこむことでバネの柔軟性と復元力により簡単に収納でき、自動的に展開、開口し、もしくは自立できるようにする。
【考案の効果】
【０００５】  本考案の買い物袋の骨組みがバネで構成されているため、捻ってたたむことで簡単に収納でき、捻りから解放すると、バネの弾力で自動的に復元し、開口もしくは自立する。
【考案を実施するための最良の形態】
【０００６】  リング状板バネを交差させたものを骨組みとし、買い物袋の底部と開口部に縫いつけられたものと、円筒状の袋の上部の縁、もしくは底部の縁にリング状板バネを縫い付けたもの。
【実施例】
【０００７】  本考案をわかりやすく説明するため図１と図２を用いる。
図１は透視図であり２個のリング状板バネ２が交差して買い物袋本体１の内側に縫い代４に包まれるように縫い付けられている。袋の生地を板バネから保護するために保護用ゴム管３がリング状板バネを覆っている。図２のは買い物袋を潰して捻ひねりながら重ねて円盤状に捻ってたたまれた状態５であり、たたまれたものは収納袋６に格納され、使用しない時に不用意に展開しないようにする。収納袋６から取り出されるとリング状板バネ２の復元力で自動的に図１の状態に展開する。
【産業上の利用可能性】
【０００８】  石油製品であるプラスチック製の買い物袋（レジ袋）の使用は環境上望ましくないが、代替品である従来の携帯用買い物袋は、たたんで収納するのにも、たたまれた状態から展開までにも手間がかかり、会計時にレジで使用するために店員に提示するのが躊躇われ、普及の障害となっていた。本考案は収納袋から取り出すと、瞬間的に立体的な形状に展開して手間がかからないため、使用を促し、環境保全に貢献できる。
【図面の簡単な説明】
【０００９】
【図１】は自動展開式折りたたみ買い物袋の透視図。
【図２】は収納のため、捻って円盤状にたたまれた状態の自動展開式折りたたみ買い物袋とそれを収納する収納袋。
【図３】は底部だけにリング状板バネを縫い付け、展開するが自立しないものの透視図。
【符号の説明】
【００１０】１・・・買い物袋本体
２・・・リング状板バネ
３・・・保護用ゴム管
４・・・バネを縫い付ける縫い代
５・・・捻ってたたまれた状態の買い物袋
６・・・収納用袋
【図１】
0003149185.tif 000003
【図２】
0003149185.tif 000004
【図３】
0003149185.tif 000005
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
細いバネを骨組みとして買い物袋の内側に縫い込むことにより、骨組みを捻って折りたたむことができ、専用収納袋に収納され、収納袋から取り出されると、捻りから解放され、バネの復元力で買い物袋が自動的に展開して開口し、立体的に自立できるようにした買い物袋。
(57)【要約】      （修正有）【課題】書類に傷つけることなく、原型のまま保存する事ができ、あるいは、他の書類と無関係に書類の着脱、差し替えができ、ファイルと書類との双方を連結し、ファイルに着脱するための補助綴じ具を提供する。【解決手段】収納用補助綴じ具１は、片側にファイル１１に連結する綴じ込み孔５を設け、もう片側に書類１０を保持、固定する固定クリップ２、可動クリップ３を有し、ファイル１１と書類１０との双方を連結し、ファイル１１に収納、綴じることができることを特徴とする。【選択図】図４
0003149121.tif 000002
【実用新案登録請求の範囲】
【請求項１】
片側にファイル１１と連結する綴じ込み孔５を有し、もう片側に書類１０を支持、固定する固定クリップ２、可動クリップ３、支持筒４を備え、可動クリップ３は支持筒４に装入し、可動可能であると共に、支持筒４から抜け外れないような構造とし、書類１０の背面下方部に補助綴じ具１の固定クリップ２の端部を装入させ、保持すると共に、背面上方部に可動クリップ３の端部を下方にスライドさせ、保持、固定することを特徴とする補助綴じ具。
【考案の詳細な説明】
【技術分野】
【０００１】
本考案は、表紙を有する雑誌類、簡易カタログ、案内書等を含む印刷物類、および、ノート類(以下「書類」という)をファイル、あるいは、バインダー（以下「ファイル」という）に整理、収納するための収納用補助綴じ具に関する。
【背景技術】
【０００２】
従来から、表紙を有する書類をファイルに整理、収納するには、各種書類に収納するための綴じ込み孔を穿孔し収納する方法、ファイルに収納するための袋状、封筒状の収納用品を設け収納する方法、あるいは、スプリングを利用した挟圧体により、重ね押さえて挟み込み収納する方法等のものが一般的に利用されている。
【０００３】
しかし、各種書類に綴じ込み孔を穿孔し収納する場合は、目的の書類に穿孔した孔が傷となり、穴あけによる情報の欠落という不都合、不便さを感じることがあった。
また、綴じ込み途中にある書類の出し入れや差し換える際は必ず、その上層にある書類を取り外し、再度、綴じ込む作業が要求され、煩わしいものとなっていた。
【０００４】
スプリングを利用した挟圧体による収納する場合は、目的の書類を見たい時に、その挟圧体が障害になり、全面を見る事ができず、時には、挟圧体がはずれ、書類が滑り落ち、バラバラになることもあった。
これらを解決するため、収納のための綴じ込み孔を必要としない工夫がなされた書類を保持するクリップ付の収納ファイル、あるいは、表裏の表紙を支持して、ファイルに収納する方法のものがある。
【０００５】
【特許文献１】特開平１１−３０９９７３号公報
【特許文献２】特開２０００−０６２３７６号公報
【考案の開示】
【考案が解決しようとする課題】
【０００６】
そこで本考案は、書類に傷つけることなく、原型のまま保存でき、あるいは、他の書類と無関係に書類の着脱、差し替えが出来る、ファイルと書類との間に双方を連結し、ファイルに着脱するための補助綴じ具を提供することにある。
【課題を解決するための手段】
【０００７】
上記課題を解決するため、本考案に係る補助綴じ具は、片側にファイルに連結する綴じ込み孔を設け、もう片側に書類を支持、固定するクリップを備え、ファイルと書類との間に双方を連結し、ファイルに着脱することができることを特徴としている。
【考案の効果】
【０００８】
本考案は次のような効果がある。
１．書類に綴じ込み孔をあけることなくファイルに着脱でき、書類の損傷が防げ、時たま起きていた穴あけによる情報の欠落防止もできる。
２．バインダーに収納した書類は、必要部分の書類を他の部分に何らの影響も無く、単独で容易に取り外し、差し替え等ができる。
３．書類の見開きが容易になると共に、書類の傷みが減り、耐久性も長くなる。
【考案を実施するための最良の形態】
【０００９】
以下、本考案の実施の形態を図１乃至図３に基づいて具体的に説明する。
【００１０】
図１は、本考案のファイルに着脱するための補助綴じ具１の全体図である。
【００１１】
図２は、本考案のファイルに着脱するための補助綴じ具１で書類１０を保持した状態を示す斜視図である。
【００１２】
図３は、本考案のファイルに着脱するための補助綴じ具１の詳細図である。
【００１３】
図４は、本考案のファイルに着脱するための補助綴じ具１で書類１０を保持し、ファイル１１に綴じられた状態を示した実施例の斜視図である。
【００１４】
図３において、本考案の補助綴じ具１は、ファイル１１と連結される綴じ込み孔５を有し、もう片側に書類１０を保持、固定クリップ２、可動クリップ３、支持筒４を備えている。
【００１５】
可動クリップ３は支持筒４に装入し、可動可能であると共に、支持筒４から抜け外れないような構造をなしている。
【００１６】
図２において、書類１０の背面下方部に補助綴じ具１の固定クリップ２の端部を装入させ、保持すると共に、背面上方部に可動クリップ３を下方にスライドさせ、可動クリップ３の端部を装入させ、保持することで書類１０の背面上下部は補助綴じ具１に保持、固定される。
【００１７】
図４において、補助綴じ具１に保持された書類１０は、収納目的のファイル１１の綴じリング１２に補助綴じ具１の綴じ孔５を挿入し、ファイル１１に収納、綴じられる。
【００１８】
補助綴じ具１の固定クリップ２、可動クリップ３の作用で書類の上下端を保持し、固定する事で目的のファイルに収納、綴じる状態となる。
【００１９】
なお、補助綴じ具１の綴じ込み孔５の数は、２穴ファイル用の２穴を示しているが、市販のファイルの規格に合わせ、２穴、３穴、４穴、２６穴、３０穴等、書類の大きさや、用途に合わせて穿孔できるものである。
【図面の簡単な説明】
【００２０】
【図１】本考案のファイルに着脱するための補助綴じ具の全体図。
【図２】本考案のファイルに着脱するための補助綴じ具で書類を保持した状態を示す斜視図。
【図３】本考案のファイルに着脱するための補助綴じ具の詳細図。
【図４】本考案のファイルに着脱するための補助綴じ具で書類を保持し、ファイルに綴じられた実施例を示す斜視図。
【符号の説明】
【００２１】
１  補助綴じ具
２  固定クリップ
３  可動クリップ
４  支持筒
５  綴じ込み孔
１０  書類
１１  ファイル
１２  綴じリング
【図１】
0003149121.tif 000003
【図２】
0003149121.tif 000004
【図３】
0003149121.tif 000005
【図４】
0003149121.tif 000006
(57)【要約】      （修正有）【課題】建物倒壊時の人命の安全を目的とし地震発生時の建物内部の安全避難場所を確保する耐震シェルターを提供する。【解決手段】既存建物内部設置型として鉄骨加工した壁、隅壁、天井用のシェルター構造部材の規格パネル化を行い夫々を連結することにより用途に応じた１個のシェルターに組立て設置する。衝撃対策として、資材選定をスチールとし、壁、隅壁、天井に分け、基本寸法の標準パネルを持ち、夫々を連結し必要強度を備えた構築物とする。ラーメン構造による規格パネル（壁用、隅壁用、天井用）を基本にボルトによる連結構築物とし垂直荷重（９ｔ）水平荷重（３ｔ）に耐えうる耐震シェルターとする。【選択図】図３
0003149194.tif 000002
【実用新案登録請求の範囲】
【請求項１】
既存建物内部設置型として鉄骨加工した壁、隅壁、天井用のシェルター構造部材の規格パネル化を行い夫々を連結することにより用途に応じた１個のシェルターに組立て設置する。
【考案の詳細な説明】
【技術分野】
【０００１】本考案は構築物本体の耐震性を強調し建物倒壊時の人命の安全を目的とし地震発生時の建物内部の安全避難場所の確保を目的とする構築物である。
【背景技術】
【０００２】従来の既存建物内設置するシェルターと既存建物との連結を密着固定、又は両者を緩衝材で連結したとしても地震の衝撃である質量の加速度とこれに伴う揺動の双方に対して既存建物と地盤からの振動を同時に吸収緩和する連結機構は見当たらない。
【考案が解決しようとする課題】
【０００３】しかし地震の衝撃は単なる一次関数的な揺動のみでなく質量の加速度が加わるものである。これは車輌の衝突衝撃に表わされるように破壊的衝撃が加わることを意味しており、車輌のクラッシャブルボデーの発想法に鑑み、被害を免がれるには揺動対策よりむしろ衝撃対策が必要とされる。従って、既存建物の構造材（梁、柱ｅｔｃ．）との連結の必要性はあえて求めない。
【０００４】又、既存建物全体の耐震補強のためには既存構造材への組込みが要求されるため、壁、天井、床を取り壊す工事が付帯し工事費用および工事期間に影響し負担が増大する。
【課題を解決するための手段】
【０００５】そこで衝撃対策として資材をスチールとし、ラーメン構造による規格パネル（壁用、隅壁用、天井用）を基本にボルトによる連結構築物とし垂直荷重（９ｔ）水平荷重（３ｔ）に耐えうる耐震シェルターとする。
規格パネルは壁用（開口部パネル含む）９１０ｍｍ×２５００×７５、隅壁用４３５／４３５×２５００×７５、天井用９１０×２６９０×７５を用意する。
【考案の効果】
【０００６】よって、工場プレ加工による規格パネル製作により生産コスト削減及び施工方法の平準化による施工費削減、並びに工事期間の短縮が見込まれなお且つ原則的には既存建物の壁、天井、床の解体、修復の必要がなくシェルター設置に関する総体コストが低価格に抑えられ、安全、安心居住空間の確保が可能となる。
【０００７】シェルターの内装において収納家具、テレビｅｔｃ．非構造部材を鉄骨材に直付けすることにより地震対策となり得、なお且つ内装材に吸音材を使用することによりピアノ室、オーディオ室が耐震防音室にもなり得る。
【考案を実施するための最良の形態】
【０００８】本耐震シェルターは６畳間を基本ベースとしパネルの増減により３畳、４．５畳等必要な広さに適応可能である。６畳間用構成パネル部材は下記の通り１９枚で構成され、夫々を亜鉛メッキボルトでの連結とする。
立壁用  壁（開口部分含む）ｗ９１０ｍｍ    １０枚
隅壁              ４３５／４３５ｍｍ４枚
天井用                    ｗ９１０ｍｍ      ３枚
ｗ４３５ｍｍ      ２枚
【図面の簡単な説明】
【０００９】
【図１】６畳用全体図  ３６００ｍｍ×２６９０ｍｍ×２５００ｍｍ
【図２】隅壁用パネルパーツ図  ４３５／４３５ｍｍ×２５００ｍｍ×７５ｍｍ
【図３】壁用パネルパーツ図  ９１０ｍｍ×２５００ｍｍ×７５ｍｍ
【図４】開口部パネルパーツ図  ９１０ｍｍ×２５００ｍｍ×７５ｍｍ
【図５】天井用パネルパーツ図及び骨組図  ９１０ｍｍ×２６９０ｍｍ×７５ｍｍ
【図６】シェルター施工天井伏図
【図７】パネル立面図
【図８】シェルター施工詳細図
【図９】壁用パネル詳細図−１
【図１０】壁用パネル詳細図−２
【図１１】天井用パネル詳細図−１
【図１２】天井用パネル詳細図−２
【符号の説明】
【００１０】１    隅壁用パネル
２    壁用パネル
３    開口部用パネル
４    天井用パネル
５    繋ぎボルト貫通孔
【図１】
0003149194.tif 000003
【図２】
0003149194.tif 000004
【図３】
0003149194.tif 000005
【図４】
0003149194.tif 000006
【図５】
0003149194.tif 000007
【図６】
0003149194.tif 000008
【図７】
0003149194.tif 000009
【図８】
0003149194.tif 000010
【図９】
0003149194.tif 000011
【図１０】
0003149194.tif 000012
【図１１】
0003149194.tif 000013
【図１２】
0003149194.tif 000014
【手続補正書】
【提出日】平成20年12月18日(2008.12.18)
【手続補正１】
【補正対象書類名】実用新案登録請求の範囲
【補正対象項目名】全文
【補正方法】変更
【補正の内容】
【実用新案登録請求の範囲】
【請求項１】
既存建物設置型のスチール製パネル式組立て耐震シェルターであって、所定の規格に従う寸法で鉄骨加工され、パネル化された壁用のシェルター構造部材と、前記壁用のシェルター構造部材に連結される所定の規格に従う寸法で鉄骨加工され、パネル化された隅壁用のシェルター構造部材と、前記壁用および隅壁用のシェルター構造部材に連結される所定の規格に従う寸法で鉄骨加工され、パネル化された天井用のシェルター構造部材とからなることを特徴とするスチール製パネル式組立て耐震シェルター。
(57)【要約】【課題】  本考案は洗顔からメイクアップまでの化粧品一式を収納でき、さらに鏡を付けることで手軽に化粧もできることを特徴とした、女性の短期間旅行用としても便利なコンパクトなパレット型化粧品ケース。【解決手段】  本考案は、コンパクトなケースに、化粧品の種類に応じて区分けしたパレット型の溝を作り、メイク用小容器や各種小容器に詰めた洗顔料、基礎化粧品などをはめ込んで収納出来るようにする。又、上フタの内側には通常ミラーと拡大ミラーを両方貼った板をはさむように取り付け、上フタとミラー板の間のスペースには携帯用ティッシュやコットン等収納出来るようにする。上フタを開いて置いた状態にすれば鏡を見ながら手軽に化粧が出来るという便利性を追求したものである。【選択図】図１
0003149195.tif 000002
【実用新案登録請求の範囲】
【請求項１】
洗顔料から基礎化粧品、メイクアップ化粧品を一式収納できることを特徴とし、上蓋内側に２種類の鏡を取り付けた、主に女性の短期間旅行用のコンパクトなパレット型化粧品ケース。
【考案の詳細な説明】
【技術分野】
【０００１】  本考案は、化粧品の収納及び上フタ内側部分に鏡を設けた、コンパクトなケースに関するものである。
【背景技術】
【０００２】  日常では数々の化粧品が出回り、色々なパッケージ容器に詰められている。女性にとっては生活の必需品である。しかし旅行や出張等において洗顔や化粧をする場合、旅行用の携帯詰め替え容器も一部はあるがパーフェクトではない。化粧品を詰めた容器の数々が従来型のケースや化粧ポーチ等に整理して入れようとしてもひとつに収まりにくく、バッグやカバンの中にあちこちとまとめられずに収めているのが現状である。
【考案の開示】
【考案が解決しようとする課題】
【０００３】  従来のままでは、バッグやカバンの中では化粧品スペースが全体を大きく占め、外出先での洗面室等で使用する時には出し入れが容易でなく、整理に手間取ったり、置き忘れ等にもなりかねない。従って機能を一体化、スリム化、軽量化することにより、バッグやカバンの中に入れてもがさ張らず、取り出し易く、又どこでも化粧直しが簡単容易に出来るようにと、前述の欠点を解決しようとするものである。
【課題を解決するための手段】
【０００４】  本考案は、コンパクトケースの内に洗顔から化粧までがパーフェクトに出来るように種類に応じて区分けしたパレット型の溝を作り、メイク用小容器や各種小容器に詰めた洗顔料、基礎化粧品等を溝にはめ込んで収納出来るようにする。又、上フタの内側には通常ミラーと拡大ミラーを両方貼った板をはさむように取り付け、上フタとミラー板の間のスペースには携帯用のティッシュペーパーやコットン等も収納出来るようにする。上フタを開いて置いた状態にすれば鏡を見ながら手軽に化粧が出来るという便利性を追求したもの。
【考案の効果】
【０００５】  女性にとって化粧品は身嗜みの必需品である。旅行カバンやバッグ等の中に入れても軽い、持ち歩きに便利、コンパクトで場所を取らない、幅広い年齢層の利用、ファッション感覚で携帯できる様なパーフェクトケースとして、従来のものをひとつにまとめて進歩させたもの。
【考案を実施するための最良の形態】
【０００６】  ケースの大きさ、縦１７センチ横１２センチとしたのは、携帯ティッシュペーパーを縦にふたつ並べて収納出来る範囲とした。ケース全体は軽量耐久性のプラスチックス等適宣素材にて形成。下ケース２の厚みもコンパクトで、７、８のメイク容器を収納する溝は平らとし、６、９の基礎化粧品、及び口紅、ペンシル等の筒状容器等を収納する溝は円周１５ミリ容器用の半円状とする。１０、１１、１２は従来型の開閉構造部品を取り付ける。上蓋ケース１の内側と下ケース２の間に２種類のミラーを貼った板３をはさむ。ミラー半分を拡大鏡４としたのは広い範囲の年齢層が利用出来ることを目的とし、又化粧直しの細部チェック用としても利用出来る。上蓋とミラー板の間のスペースに携帯用ティッシュペーパーやコットンも収納出来るようにする。
【図面の簡単な説明】
【０００７】
【図１】本考案のパレット型コンパクトケースの開いた状態の平面図
【図２】立面図
【図３】開いた状態の横立面図
【図４】化粧品を詰めた平面図
【図５】化粧品を詰めた立体図
【符号の説明】
【０００８】  １  ケース上蓋
２  ケース下収納部
３  ミラー版
４  拡大鏡
５  通常鏡
６  基礎化粧品収納パレット溝
７  チーク、刷毛、ファンデーション、パフなど収納パレット溝
８  アイメークなど収納パレット溝
９  口紅、ペンシル、マスカラなど収納パレット溝
１０  開閉ピン
１１  開閉ピン
１２  開閉部
【図１】
0003149195.tif 000003
【図２】
0003149195.tif 000004
【図３】
0003149195.tif 000005
【図４】
0003149195.tif 000006
【図５】
0003149195.tif 000007
【手続補正書】
【提出日】平成20年9月24日(2008.9.24)
【手続補正１】
【補正対象書類名】明細書
【補正対象項目名】０００６
【補正方法】変更
【補正の内容】
【０００６】  ケースの大きさ、縦１７センチ横１２センチとしたのは、携帯ティッシュペーパーを横にふたつ並べて収納出来る範囲とした。ケース全体は軽量耐久性のプラスチックス等適宣素材にて形成。下ケース２の厚みもコンパクトで、７、８のメイク容器を収納する溝は平らとし、６、９の基礎化粧品、及び口紅、ペンシル等の筒状容器等を収納する溝は円直径１５ミリ内容器用の半円状とする。１０、１１、１２は従来型の開閉構造部品を取り付ける。上蓋ケース１の内側と下ケース２の間に２種類のミラーを貼った板３をはさむ。ミラー半分を拡大鏡４としたのは広い範囲の年齢層が利用出来ることを目的とし、又化粧直しの細部チェック用としても利用出来る。上蓋とミラー板の間の空いたスペースに携帯用ティッシュペーパーやコットンも収納出来るようにする。
【手続補正書】
【提出日】平成20年12月10日(2008.12.10)
【手続補正１】
【補正対象書類名】実用新案登録請求の範囲
【補正対象項目名】全文
【補正方法】変更
【補正の内容】
【実用新案登録請求の範囲】
【請求項１】
上蓋と下収納部とからなり、洗顔料から基礎化粧品、メイクアップ化粧品を一式収納できるように構成され、上蓋内に２種類の鏡を取り付けたことを特徴とする、パレット型コンパクトケース。
(57)【要約】【課題】  携帯型情報端末装置をベルト等に取り付けて携行し、操作時は該装置を縦位置及び横位置に立てかけて操作出来る一体型スタンド兼クリップを供給する事を課題とする。【解決手段】  携帯型情報端末装置を脱着可能に保持するホルダーと、該ホルダーに軸着した回動ベースと回動ベース上の取り付けクリップと、クリップの外側に配置した立て掛けスタンド用折りたたみ脚部から構成され、ベルト等への取り付けはクリップで行い、操作する際は回動ベースを回転しスクリーンの縦位置横位置に合わせ折りたたみ脚部を開き、該装置を机上などに角度を設けて配置することで課題を解決する。【選択図】図６
0003149197.tif 000002
【実用新案登録請求の範囲】
【請求項１】
携帯型情報端末装置に係着したベース上に挟着クリップと折りたたみ脚部を配置し挟着クリップで該端末装置をベルト等に挟着し、操作時は折りたたみ脚部を開いて立て掛けて操作することを特徴とするスタンド兼クリップ。
【請求項２】
請求項１於いて携帯型情報端末装置をホルダーで保持し該ホルダー上に該ベースを係着した事を特徴とするスタンド兼クリップ。
【請求項３】
請求項１及び２に於いて該ベースを携帯型情報端末装置及びホルダー対して回動可能に軸着したことを特徴とするスタンド兼クリップ。
【考案の詳細な説明】
【技術分野】
【０００１】  本考案は、携帯型情報端末装置の、立て掛けスタンド兼ベルト取り付けクリップに関する物である。
【背景技術】
【０００２】  従来の技術思想では、携帯型情報端末装置をベルトに取り付けるクリップが存在した。近年、該装置の機能が向上し映像の再生が可能になると、該装置を立てかけて視聴する為の立て掛けスタンドの必要性が出てきた。
【考案の開示】
【考案が解決しようとする課題】
【０００３】  本考案は、携帯型情報端末装置をベルト等に取り付けて携行し、操作時は該装置を縦位置及び横位置に立てかけて操作出来る一体型スタンド兼クリップを供給する事を課題とする。
【課題を解決するための手段】
【０００４】  本考案は携帯型情報端末装置を脱着可能に保持するホルダーと、該ホルダーに軸着した回動ベースと回動ベース上の取り付けクリップと、クリップの外側に配置した立て掛けスタンド用折りたたみ脚部から構成される。ベルト等への取り付けはクリップで確実に行い該装置を立てかけて操作する際は、回動ベースを回転しスクリーンの縦位置横位置に合わせ折りたたみ脚部を開き、該装置を机上などに角度を設けて配置することで課題を解決する。
【考案の効果】
【０００５】  上記のように本考案の携帯型情報端末装置用スタンド兼クリップを使用することで、該装置をベルト等に挟着して携行することが出来る。該装置を使用する際は容易にホルダーから該装置を取り出して使用できる。机上などで操作する際は折りたたみ脚部を開いて立てかけて操作ができる。また表示スクリーンを縦横切り換えて操作する場合は、回動ベースを回転しスクリーンの縦位置横位置にそれぞれ合わせて立てかけることが出来る。
【考案を実施するための最良の形態】
【０００６】  携帯型情報端末装置等の外周四隅を、外周四隅に合わせた形状からなるホルダーの腕部で挟み込み、該情報端末装置の背面に該ホルダーを装着する。該ホルダーには回動ベースを設け該回動ベースに挟着クリップを配置し、該挟着クリップの外側に折りたたみ脚部を配設する。
【実施例】
【０００７】  以下、添付図面に基づいて実施例を説明する。
図１は本考案の携帯型情報端末装置用スタンド兼クリップの側面図である。１は携帯型情報端末装置本体、２はホルダーである。回動ベース３はホルダー２の係合凸部２ａを軸としてリング３ａとネジ３ｂにより回動可能に軸着され、挟着クリップ４はバネ６を通してピン５により回動ベースに装着される。折りたたみ脚部７はピン５を通して挟着クリップ４の外側に配置される。【０００８】  図２は本考案のスタンド兼クリップの挟着クリップ４で対象となるベルト８にホルダーを介して携帯型情報端末装置を保持した状態の実施例の側面図である。【０００９】  図３はスタンド兼クリップの折りたたみ脚部７を開き該情報端末装置を立て掛け保持して使用する状態の実施例の側面図である。【００１０】  図４はスタンド兼クリップの折りたたみ脚部７を開き回動ベース３を回転させ、横向きに該情報端末装置を立て掛け保持して使用する状態の実施例の側面図である。【００１１】  図５は該情報端末装置に本考案のスタンド兼クリップ付きホルダーを装着した状態の実施例の俯瞰図である。【００１２】  図６は該情報端末装置に本考案のスタンド兼クリップ付きホルダーを装着し、折りたたみ脚部を開いて立て掛けた状態の実施例の俯瞰図である。
【図面の簡単な説明】
【００１３】
【図１】携帯型情報端末装置用スタンド兼クリップの側面図である。
【図２】ベルトに該情報端末装置を保持した状態の側面図である。
【図３】立て掛けて使用した状態の側面図である。
【図４】横向きに立て掛けて使用した状態の側面図である。
【図５】構成を示す俯瞰図である。
【図６】立て掛けて使用する状態の俯瞰図である。
【符号の説明】
【００１４】  １携帯型情報端末装置本体
２ホルダー
３回動ベース
４挟着クリップ
７折りたたみ脚部
【図１】
0003149197.tif 000003
【図２】
0003149197.tif 000004
【図３】
0003149197.tif 000005
【図４】
0003149197.tif 000006
【図５】
0003149197.tif 000007
【図６】
0003149197.tif 000008
【手続補正書】
【提出日】平成20年12月11日(2008.12.11)
【手続補正１】
【補正対象書類名】実用新案登録請求の範囲
【補正対象項目名】全文
【補正方法】変更
【補正の内容】
【実用新案登録請求の範囲】
【請求項１】
携帯型情報端末装置に係着したベース上に挟着クリップと折りたたみ脚部を配置し挟着クリップで該端末装置をベルト等に挟着し、操作時は折りたたみ脚部を開いて立て掛けて操作することを特徴とするスタンド兼クリップ。
【請求項２】
請求項１に於いて携帯型情報端末装置をホルダーで保持し該ホルダー上に該ベースを係着した事を特徴とするスタンド兼クリップ。
【請求項３】
請求項１又は２に於いて該ベースを携帯型情報端末装置及びホルダー対して回動可能に軸着したことを特徴とするスタンド兼クリップ。
(57)【要約】      （修正有）【課題】碁笥の中での碁石の衝突による破損を防止し、碁笥に碁石が衝突して生ずる衝撃音を防止し、碁笥の開口部に接し、同開口部を装飾する装飾帯付き袋状クッションを装着した碁笥を提供する。【解決手段】碁石が碁笥のどの位置に衝突しても、その衝撃を緩和して碁石の破損を防止し碁石の衝撃音を防止する、碁笥の内面全体に接するように作られた袋状クッションを碁笥の中に装着することを特徴とし、また袋状クッションの口が拡がらないようにに固定し、且つ、碁笥の開口部に接して装飾となる装飾帯付き袋状クッションを碁笥の中に装着することを特徴とする。【選択図】図１
0003149198.tif 000002
【実用新案登録請求の範囲】
【請求項１】
碁石の破損防止及び碁石の衝撃音防止のため、碁笥の内面全体に接する装飾帯付き袋状クッション
【請求項２】
袋の口の破損及び口の開きを防ぐため、口の縁を装飾帯で覆った、装飾帯付き袋状クッション
【請求項３】
装飾帯付き袋状クッションを装着した碁笥
【考案の詳細な説明】
【技術分野】
【０００１】  本考案は碁石の破損防止及び碁石の衝撃音防止のための、碁筍の内面全体に接する装飾帯付き袋状クッションに関するものである。
【背景技術】
【０００２】  碁筍の中で碁石が衝突し破損することがある。対局中碁石の衝撃音は対局者を悩まし、会則などで注意を喚起している。この衝撃音を防ぐ良い方法がなかった。
【考案の開示】
【考案が解決しようとする課題】
【０００３】  今まで、碁笥の内側の底だけに碁石の衝撃を緩和する制振鋼板を敷く方法が考えられていたが余り効果が無く普及していない。この方法は碁笥の底以外に当たった碁石の衝撃音を防止することができないことにある。
【課題を解決するための手段】
【０００４】  本考案は碁石が碁笥の内面のどの部分に当たっても、碁石が破損せず、その衝撃音を防止することができる碁笥の内面全体に接する装飾帯付き袋状クッションに関するものである。
【考案の効果】
【０００５】  本考案は碁筍内面全体にクッション材が接しているので、碁石が、どの様な状態で衝突でも、碁石の破損とその衝撃音を防止する。クッション材の口の破損を防ぐために付けた装飾帯が、従来碁筍に無かった美的感覚を持たせる。又、クッションの製作に於いては従来の型は作らず、製作費が安く手間が掛からず多量生産が可能である。
【考案の実施するための最良の形態】
【０００６】  クッション材のウレタン・フオ−ム平板を袋状に加工し、碁筍の内面全体に接する袋状クッションを作る。袋の口が破損しないように、又、口が拡がるのを防ぐ為、袋の口の周りに装飾の帯を縫い付ける。この装飾帯付き袋状クッションを碁筍の中に入れ、その中に碁石を入れる。装飾帯付き袋状クッションの口が碁筍の口まで届いて、碁石が碁筍に直接当たらずクッション材に当たるようにする。
【実施例】
【０００７】  装飾帯付き袋状クッションの製造方法を次に示し、図４に図解する。
（イ）使用する碁笥４の内側の寸法を計る。（ロ）クッション材１に、碁笥の内側の寸法と装飾帯取付け寸法を加えた値を直径とする円を描き、切り取り、円板を作る。（ハ）クッション材の円板の周囲に等間隔に印をつけ、円板の周囲を巡って、円板の厚さの中央に糸３を通し、糸を引っ張りクッション材の周囲を絞り、袋状にし、袋の口の縁が碁笥の口から出るようにし、後で装飾帯が付いたとき、装飾帯が見えるようにする。（ニ）碁笥の中に袋状になったクッション材を入れる。（ホ）クッション材の中に、碁笥の口の少し下まで碁石５を入れ、袋の口の縁の出方を調べ調整する。クッション材の縁の印を等間隔に整え、糸を結んで、袋状クッションを作る。（ヘ）袋状クッションを碁笥から取り出し、口の周囲に装飾帯を縫い付けて装飾帯付き袋状クッションを完成させ、碁笥に装着する。
【図面の簡単な説明】
【０００８】
【図１】  本考案の装飾帯付き袋状クッションの正面図である。
【図２】  本考案の装飾帯付き袋状クッションの平面図である。
【図３】  本考案の装飾帯付き袋状クッションの底面図である。
【図４】  本考案の装飾帯付き袋状クッションの断面図である。
【図５】  本考案の装飾帯付き袋状クッションと碁笥を組合わせた断面図である。
【図６】  本考案の装飾帯付き袋状クッションの製造方法と碁笥に装着した状態を図解した図面である。
【符号の説明】
【０００９】  １．  クッション材
２．  装飾帯
３．  糸
４．  碁笥
５．  碁石
【図１】
0003149198.tif 000003
【図２】
0003149198.tif 000004
【図３】
0003149198.tif 000005
【図４】
0003149198.tif 000006
【図５】
0003149198.tif 000007
【図６】
0003149198.tif 000008
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
碁筍の内面全体を覆い、且つ接触して碁石の破損防止と碁石の衝撃音を抑止する装飾帯付き袋状クッション。
【請求項２】
請求項１に記載の装飾帯付き袋状クッションにおいて、袋の口の破損及び口の開きを防ぐため、口の縁を装飾帯で覆った装飾帯付き袋状クッション。
【請求項３】
請求項１に記載の装飾帯付き袋状クッションを装着した碁筍。
(57)【要約】      （修正有）【課題】車両の駐車時の走行において安全装置を有するカーナビゲーションを提供する。【解決の手段】自動車のカーナビゲーションの駐車アシスト装置による駐車走行時において、カーナビゲーションの集積回路に設けられた顔認識センサ、動体センサ、アクセル作動センサ、および所定速度センサが作動した場合においては車両を停止させる安全装置を有するカーナビゲーションである。【選択図】図１
0003149200.tif 000002
【実用新案登録請求の範囲】
【請求項１】
自動車のカーナビゲーションのアシストによる駐車走行時における安全装置を有するカーナビゲーション。
【考案の詳細な説明】
【技術分野】
【０００１】  この考案は、カーナビゲーション（以下、カーナビ）のモニタのアシストによる駐車走行時において、カーナビ内の集積回路に設定された顔認識センサや動体認識センサ、またはアクセル作動センサによる安全装置を有するカーナビに関する。
【背景技術】
【０００２】  従来の市販されているカーナビにおいては、この考案による機能を有するカーナビはなかった。
【考案が解決しようとする課題】
【０００３】  この考案は、カーナビのモニタのアシストによる駐車走行時、人物や動体を感知した場合やドライバーのアクセル操作ミスの場合においては、カーナビの指示により車両を停止させる安全装置を有するカーナビを提供しようとするものである。
【考案が解決するための手段】
【０００４】  この考案は、カーナビの集積回路にデジタルカメラに使用されている顔認識センサや動体認識センサ、またアクセルの作動状況を検知するアクセルセンサを組み込むことにより、車両の駐車走行時における安全装置である。
【考案の効果】
【０００５】  この考案は、カーナビモニタのアシストによる駐車走行時における、挟み込み事故やアクセル操作ミスによる車両の暴走事故を防止する装置である。
【実施例】
【０００６】  この考案によるカーナビの作動例を説明すれば次のとおりである。
この考案によるカーナビに接続されているカメラから人物や動体の情報が送られた場合、カーナビ内の集積回路に設定された顔認識センサや動体認識センサが検知し、車載コンピュータに指示を出し動力機へのエネルギーの供給を停止し、車輪に対してもブレーキを作動させて車両を停止させるものである。
また、カーナビに設定された所定速度５ｋｍ乃至１５ｋｍ／時以上になった場合には所定速度センサが車速の異常を検知し、またドライバーによるアクセル操作ミスにより動力機に対し急激に過負荷を与えた場合にも、アクセルセンサがアクセルの踏み込み量と踏み込み速度の異常を検知し、車載コンピュータに指示を出して、動力機へのエネルギーの供給停止と車輪へのブレーキ制動を行い車両を停止させるものである。【０００７】  図１により、この考案の実施例を説明すれば次のとおりである。
カーナビモニタ画面の誘導による駐車走行中の車両において、車両の速度がカーナビ１内の集積回路２に設定されている所定速度以上になった場合には、所定速度センサ３が検知し、また、ドライバーのアクセル操作のミスにより動力機４に対し必要以上の過負荷を与えた場合にはアクセル作動センサ５が検知し、共に動力機に対しリミッタ６を作動させエネルギー供給を中止し、車輪７に対してもブレーキ制動８を行い、車両を停止させるものである。
また、カーナビに接続されているカメラ９により人物や動体が感知された場合には、カーナビに設定された顔認識センサ１０や動体認識センサ１１が検知し、動力機と車輪に対し上記と同様の作動を行い車両を停止させるものである。
【図面の簡単な説明】
【０００８】
【図１】  この考案に係わるカーナビの作動時における説明図の一例である。
【符号の説明】
【０００９】１    カーナビ
２    集積回路
３    所定車速センサ
４    動力機
５    アクセル作動センサ
６    リミッタ
７    車輪
８    ブレーキ制動
９    カメラ
１０  顔認識センサ
１１  動体認識センサ
１２  車載コンピュータ
――  作動回路
【図１】
0003149200.tif 000003
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
自動車のカーナビゲーションの駐車アシスト装置による駐車走行時において、カーナビゲーションの集積回路に設けられた顔認識センサ、動体センサ、アクセル作動センサ、および所定速度センサが作動した場合においては車両を停止させる安全装置を有するカーナビゲーション。